(57)【特許請求の範囲】
【請求項１】
電話が、ユーザの希望の操作を示す文字データを生成し、該文字データを送信し、
前記プロバイダサーバが、前記文字データを受信し、該文字データに基づいてユーザの希望の操作を実行し、実行結果の表示データを生成し、生成した表示データに前記電話およびテレビ受像器を識別する識別コードを付加してインターネットを介して放送局へ送信し、
前記放送局が、前記表示データを受信し、該表示データを無線送信し、
前記テレビ受像器が、前記無線送信された表示データを無線受信し、該表示データに付加されている前記識別コードに基づいて自受像器宛の表示データを選別し、選別した表示データに基づいて、前記実行結果を表示する
ことを特徴とするインターネット利用方法。
【請求項２】
ユーザの希望の操作を示す文字データを生成し、該文字データを送信する電話と、
前記文字データを受信し、該文字データに基づいてユーザの希望の操作を実行し、実行結果の表示データを生成し、生成した表示データに前記電話およびテレビ受像器を識別する識別コードを付加してインターネットを介して放送局へ送信するプロバイダサーバと、
前記表示データを受信し、該表示データを無線送信する放送局と、
前記電話に対応するテレビ受像器であって、前記無線送信された表示データを無線受信し、該表示データに付加されている前記識別コードに基づいて自受像器宛の表示データを選別し、選別した表示データに基づいて、前記実行結果を表示するテレビ受像器と
を具備することを特徴とするインターネット利用システム。
【発明の詳細な説明】
【０００１】
【発明の属する技術分野】
この発明は、パソコンを使用せずにインターネットを利用するインターネット利用方法およびシステムに関する。
【０００２】
【従来の技術】
一般的に、インターネットは、パソコンを使用して利用される。
なお、インターネット端末機能を有するテレビ受像器も開発されているが、パソコンほど汎用性がなく、かつ、インターネット端末機能の分だけ通常のテレビ受像器より割高感があるため、あまり普及していない。
また、インターネットに接続可能な携帯電話も開発されているが、携帯電話のディスプレイは非常に小さいので、インターネットを利用してパソコンと同等のサービスを受けることは困難である。
【０００３】
【発明が解決しようとする課題】
このように、上述した従来のインターネット利用方法では、パソコンを所有していないユーザーは、インターネットを利用してパソコンと同等のサービスを受けることが困難であった。
【０００４】
この発明は、このような背景の下になされたもので、パソコンを所有していないユーザーでもインターネットを利用できるインターネット利用方法およびシステムを提供することを目的とする。
【０００５】
【課題を解決するための手段】
請求項１記載の発明は、電話が、ユーザーの希望の操作を示す文字データを生成し、該文字データを送信し、前記プロバイダサーバが、前記文字データを受信し、該文字データに基づいてユーザの希望の操作を実行し、実行結果の表示データを生成し、インターネットを介して該表示データを放送局へ送信し、前記放送局が、前記表示データを受信し、該表示データを無線送信し、前記電話に対応するテレビ受像器が、前記無線送信された表示データを無線受信し、該表示データに基づいて、前記実行結果を表示することを特徴とする。
請求項２記載の発明は、請求項１記載のインターネット利用方法において、前記電話は、インターネットメール機能を使用して前記文字データを生成・送信することを特徴とする。
請求項３記載の発明は、請求項１記載のインターネット利用方法において、前記プロバイダサーバは、生成された表示データに、前記電話および前記テレビ受像器を識別する識別コードを付加し、前記テレビ受像器は、前記識別コードに基づいて、自受像器宛の表示データを選別することを特徴とする。
請求項４記載の発明は、請求項１記載のインターネット利用方法において、前記表示データの無線送受信は、衛星放送を使用して行われることを特徴とする。
請求項５記載の発明は、ユーザーの希望の操作を示す文字データを生成し、該文字データを送信する電話と、前記文字データを受信し、該文字データに基づいてユーザの希望の操作を実行し、実行結果の表示データを生成し、インターネットを介して該表示データを放送局へ送信するプロバイダサーバと、前記表示データを受信し、該表示データを無線送信する放送局と、前記電話に対応するテレビ受像器であって、前記無線送信された表示データを無線受信し、該表示データに基づいて、前記実行結果を表示するテレビ受像器とを具備することを特徴とする。
請求項６記載の発明は、請求項５記載のインターネット利用システムにおいて、前記電話は、インターネットメール機能を使用して前記文字データを生成・送信することを特徴とする。
請求項７記載の発明は、請求項５記載のインターネット利用システムにおいて、前記プロバイダサーバは、生成された表示データに、前記電話および前記テレビ受像器を識別する識別コードを付加し、前記テレビ受像器は、前記識別コードに基づいて、自受像器宛の表示データを選別することを特徴とする。
請求項８記載の発明は、請求項５記載のインターネット利用システムにおいて、前記表示データの無線送受信は、衛星放送を使用して行われることを特徴とする。
【０００６】
【発明の実施の形態】
以下、図面を参照して、この発明の実施形態について説明する。
図１は、この発明の一実施形態によるインターネット利用システムの構成例を示すブロック図である。
【０００７】
この図において、携帯電話１とテレビ受像器２とは、同じユーザが所有している。また、携帯電話１とテレビ受像器２とは、同じ識別コードを具備しており、該識別コードは、プロバイダサーバ３に予め登録されている。
電話局４とプロバイダサーバ３と放送局５とは、インターネットに接続されている。
【０００８】
携帯電話１は、インターネットを介してメールを送受信する機能（以下「インターネットメール機能」と称する）を有する。
テレビ受像器２は、衛星放送受信セット（アンテナ、チューナ）を具備し、衛星放送を受信する。上記チューナは、上記アンテナが受信したデータの中から、上記識別コードに基づいて、テレビ受像器２宛のデータを選別する。
プロバイダサーバ３は、具体的には、ＣＰＵ（中央処理装置）およびその周辺回路からなるコンピュータ装置で構成される。そして、プロバイダサーバ３は、携帯電話１から受信した文字データに基づいて、インターネット上での各種処理を行う。
電話局４は、携帯電話１をインターネットに接続する。
放送局５は、インターネット上のデータを、放送衛星６を介して、無線送信する。
【０００９】
次に、上記システムを使用したインターネット利用手順の一例を説明する。
まず、ユーザが、テレビ受像器２の電源を入れ、該テレビ受像器２のチャネルを放送局５のチャネルに合わせる。
【００１０】
次に、ユーザは、携帯電話１のインターネットメール機能を使用して、「メニュー表示」を示す文字データを作成し、該文字データの送信操作を行う。
これによって、携帯電話１が、該文字データを、電話局４およびインターネットを介して、プロバイダサーバ３へ送信する。
【００１１】
プロバイダサーバ３は、該文字データを受信する。
文字データを受信すると、プロバイダサーバ３は、該文字データに基づいて、メニューの表示データを生成する。
次に、プロバイダサーバ３は、該表示データに携帯電話１の識別コードを付加することによって、データパケットを生成する。
そして、プロバイダサーバ３は、該データパケットを、インターネットを介して、放送局５へ送信する。
【００１２】
放送局５は、該データパケットを受信する。
データパケットを受信すると、放送局５は、該データパケットを、放送衛星６を介して、無線送信する。
【００１３】
テレビ受像器２は、放送局５から送信される全てのデータパケットを無線受信する。
データパケットを無線受信すると、テレビ受像器２は、無線受信したデータパケットの識別コードと自受像器の識別コードとを比較することによって、無線受信したデータパケットの中から、自受像器宛のデータパケットを選別する。
最後に、テレビ受像器２が、選別されたデータパケットの表示データに基づいて、メニューを表示する。
【００１４】
メニューが表示されると、ユーザは、携帯電話１のインターネットメール機能を使用して、該メニューに示される操作の中から、希望の操作を示す文字データを作成し、該文字データの送信操作を行う。
これによって、携帯電話１が、該文字データを、電話局４およびインターネットを介して、プロバイダサーバ３へ送信する。
【００１５】
プロバイダサーバ３は、該文字データを受信する。
文字データを受信すると、プロバイダサーバ３は、該文字データに基づいて、ユーザの希望の操作を実行し、該実行結果の表示データを生成する。
次に、プロバイダサーバ３は、該表示データに携帯電話１の識別コードを付加することによって、データパケットを生成する。
そして、プロバイダサーバ３は、該データパケットを、インターネットを介して、放送局５へ送信する。
【００１６】
放送局５は、該データパケットを受信する。
データパケットを受信すると、放送局５は、該データパケットを、放送衛星６を介して、無線送信する。
【００１７】
テレビ受像器２は、放送局５から送信される全てのデータパケットを無線受信する。
データパケットを無線受信すると、テレビ受像器２は、無線受信したデータパケットの識別コードと自受像器の識別コードとを比較することによって、無線受信したデータパケットの中から、自受像器宛のデータパケットを選別する。
最後に、テレビ受像器２は、選別されたデータパケットの表示データに基づいて、上記実行結果を表示する。
【００１８】
以下、同様の手順で、ユーザは希望の操作を行い、プロバイダサーバ３は該操作を実行し、テレビ受像器２は該実行結果を表示する。
なお、本実施形態の場合、携帯電話１はメールを送信するだけであり、かつ、テレビ受像器２は衛星放送を受信しているだけなので、希望の操作を全て済ませ、インターネットの利用を終了する場合、ユーザはテレビ受像器２の電源を切るだけでよい。
以上で、上記システムを使用したインターネット利用手順の説明を終了する。
【００１９】
以上、この発明の実施形態を図面を参照して詳述してきたが、具体的な構成はこの実施形態に限られるものではなく、この発明の要旨を逸脱しない範囲の設計の変更等があってもこの発明に含まれる。
【００２０】
例えば、上記実施形態では、「携帯電話１とテレビ受像器２とは、同じ識別コードを具備しており、該識別コードは、プロバイダサーバ３に予め登録されている」としたが、本発明はこれには限定されず、ユーザー自身が識別コードを有し、本システムの利用時に、該識別コードを携帯電話１とテレビ受像器２とに設定すると共に、携帯電話１を使用して該識別コードをプロバイダサーバ３に通知してもよい。
これによって、任意の携帯電話およびテレビ受像器を使用してインターネットを利用できる。
【００２１】
また、上記実施形態では、インターネットメール機能を有する携帯電話１を使用したが、本発明はこれには限定されず、通常の据置型電話器（好ましくはプッシュホン型電話器）を使用することも考えられる。
この場合、ユーザーは、インターネット利用前に、据置型電話器とプロバイダサーバ３との間に回線を接続し、かつ、インターネット利用中は、該回線を接続し続け、インターネット利用後に、該回線を接続断する。
これによって、携帯電話を所有していないユーザーもインターネットを利用できる。
【００２２】
なお、通常の据置型電話器を使用する場合、回線は接続されたままなので、インターネットメール機能を有する携帯電話１を使用する場合と比較して、ユーザーの操作に対するレスポンスがよい。
一方、インターネットメール機能を有する携帯電話１を使用する場合、希望の操作を示す文字データはメールとして送信されるので、課金は送信回数または文字数（またはパケット数）を単位として行われ、故に、通常の据置型電話器を使用する場合と比較して、通信料金を低く抑えることができる。
【００２３】
【発明の効果】
以上説明したように、この発明によれば、パソコンを所有していないユーザーでもインターネットを利用できる。
【図面の簡単な説明】
【図１】  この発明の一実施形態によるインターネット利用システムの構成例を示すブロック図である。
【符号の説明】
１……携帯電話
２……テレビ受像器
３……プロバイダサーバ
４……電話局
５……放送局
６……放送衛星
【図１】
0003636025.tif 000002